(57)【要約】【課題】ＬＡＡ通信において通信パフォーマンスの低下を抑制すること。【解決手段】端末装置は、第１周波数帯域、または第１周波数帯域とは異なる第２周波数帯域を用いて通信を行う通信部と、自装置の移動状態に応じて通信部により第２周波数帯域を用いた通信を行うか否かを制御する制御部と、を備える。【選択図】図２
2017152821.tif 000002
【特許請求の範囲】
【請求項１】
第１周波数帯域、または前記第１周波数帯域とは異なる第２周波数帯域を用いて通信を行う通信部と、
自装置の移動状態に応じて前記通信部により前記第２周波数帯域を用いた通信を行うか否かを制御する制御部と、
を備えることを特徴とする端末装置。
【請求項２】
自装置の移動状態に関する移動状態情報として、自装置の移動速度を検出する移動状態情報検出部をさらに備え、
前記制御部は、前記移動状態情報に基づいて、自装置の移動状態が高速移動である場合には前記第１周波数帯域を用いた通信を行うように制御し、
自装置の移動状態が低速移動である場合には前記第１周波数帯域または前記第２周波数帯域を用いた通信を行うように制御する請求項１に記載の端末装置。
【請求項３】
自装置の移動状態に関する移動状態情報として、ユーザの移動手段に関する情報をユーザが入力する操作入力部をさらに備え、
前記制御部は、前記移動状態情報に基づいて、自装置の移動状態が高速移動である場合には前記第１周波数帯域を用いた通信を行うように制御し、
自装置の移動状態が低速移動である場合には前記第１周波数帯域または前記第２周波数帯域を用いた通信を行うように制御する請求項１に記載の端末装置。
【請求項４】
自装置の移動状態に関する移動状態情報として、ユーザの移動手段に関する情報を外部から取得する取得部をさらに備え、
前記制御部は、前記移動状態情報に基づいて、自装置の移動状態が高速移動である場合には前記第１周波数帯域を用いた通信を行うように制御し、
自装置の移動状態が低速移動である場合には前記第１周波数帯域または前記第２周波数帯域を用いた通信を行うように制御する請求項１に記載の端末装置。
【請求項５】
第１周波数帯域、または前記第１周波数帯域とは異なる第２周波数帯域を用いて通信を行う通信部と、
自装置の移動状態に応じて前記通信部により前記第２周波数帯域を用いた通信を行うか否かを制御する制御部と、
を備える端末装置と、
前記端末装置と前記第１周波数帯域または前記第２周波数帯域を用いた通信を行う基地局装置を備えることを特徴とする通信システム。
【請求項６】
第１周波数帯域、または前記第１周波数帯域とは異なる第２周波数帯域を用いて通信を行うステップと、
端末装置の移動状態に応じて前記第２周波数帯域を用いた通信を行うか否かを制御するステップと、
を備えることを特徴とする通信制御方法。
【請求項７】
コンピュータに、
第１周波数帯域、または前記第１周波数帯域とは異なる第２周波数帯域を用いて通信を行うステップと、
端末装置の移動状態に応じて前記第２周波数帯域を用いた通信を行うか否かを制御するステップと、
を実行させるためのプログラム。
【発明の詳細な説明】
【技術分野】
【０００１】
本発明は、端末装置、通信システム、通信制御方法及びプログラムに関する。
【背景技術】
【０００２】
データ通信需要の増加に伴い、通信速度や通信効率の向上を図るため、ＬＡＡ（Ｌｉｃｅｎｓｅ  Ａｓｓｉｓｔｅｄ  Ａｃｃｅｓｓ  ｕｓｉｎｇ  ＬＴＥ）の利用が検討されている。ＬＡＡは、ライセンス不要バンド（ｕｎｌｉｃｅｎｓｅｄ  ｂａｎｄ）を用いてＬＴＥ（Ｌｏｎｇ  Ｔｅｒｍ  Ｅｖｏｌｕｔｉｏｎ、ＬＴＥは登録商標）を利用する通信方式である。ＬＴＥとは、第３世代（３Ｇ）携帯電話のデータ通信を高速化した規格であり、３．９Ｇとも呼ばれる。
【０００３】
また、移動体通信システムにおいて、第１の通信網の電波品質が劣化した場合に、第２の通信網にハンドオーバし、第１の通信網の電波品質が回復した場合に、第１の通信網にハンドオーバすることにより、音声通信の継続を図るという技術が知られている（下記特許文献１参照）。
【先行技術文献】
【特許文献】
【０００４】
【特許文献１】特開２０１５−０８０１３９号公報
【発明の概要】
【発明が解決しようとする課題】
【０００５】
しかしながら、ＬＡＡ網はセルサイズが狭いため、端末装置が移動する場合、品質が一時的に向上したとしてもしばらくすると品質が低下してしまうことがある。このため、上記技術ではハンドオーバが頻発して端末装置の通信パフォーマンスが低下してしまう場合があった。
【０００６】
本発明は上記の点に鑑みてなされたものであり、ＬＡＡ通信において通信パフォーマンスの低下を抑制することができる端末装置、通信システム、通信制御方法及びプログラムを提供する。
【課題を解決するための手段】
【０００７】
（１）本発明は上記の課題を解決するためになされたものであり、本発明の一態様による端末装置は、第１周波数帯域、または前記第１周波数帯域とは異なる第２周波数帯域を用いて通信を行う通信部と、自装置の移動状態に応じて前記通信部により前記第２周波数帯域を用いた通信を行うか否かを制御する制御部とを備えることを特徴とする端末装置である。
【０００８】
（２）また、本発明の他の態様は、第１周波数帯域、または前記第１周波数帯域とは異なる第２周波数帯域を用いて通信を行う通信部と、自装置の移動状態に応じて前記通信部により前記第２周波数帯域を用いた通信を行うか否かを制御する制御部と、を備える端末装置と、前記端末装置と前記第１周波数帯域または前記第２周波数帯域を用いた通信を行う基地局装置を備えることを特徴とする通信システムである。
【０００９】
（３）また、本発明の他の態様は、第１周波数帯域、または前記第１周波数帯域とは異なる第２周波数帯域を用いて通信を行うステップと、端末装置の移動状態に応じて前記第２周波数帯域を用いた通信を行うか否かを制御するステップと、を備えることを特徴とする通信制御方法である。
【００１０】
（４）また、本発明の他の態様は、コンピュータに、第１周波数帯域、または前記第１周波数帯域とは異なる第２周波数帯域を用いて通信を行うステップと、端末装置の移動状態に応じて前記第２周波数帯域を用いた通信を行うか否かを制御するステップと、を実行させるためのプログラムである。
【発明の効果】
【００１１】
本発明によれば、ＬＡＡ通信において通信パフォーマンスの低下を抑制することができる。
【図面の簡単な説明】
【００１２】
【図１】実施形態に係る通信システムの図である。
【図２】第１の実施形態に係る端末装置の構成を示す図である。
【図３】第１の実施形態に係る端末装置の移動状態に関するステータスを判断するためのテーブルの例を示す図である。
【図４】第１の実施形態に係る端末装置のＬＡＡ通信機能の有効無効設定の例を示す図である。
【図５】第１の実施形態に係る通信制御処理の一例を示すフローチャートである。
【図６】第１の実施形態に係る高速低速判断処理の一例を示すフローチャートである。
【図７】第２の実施形態に係る高速低速判断処理の一例を示すフローチャートである。
【図８】第２の実施形態に係る端末装置の移動状態を判定するための情報の読み込みの処理の一例を示すフローチャートである。
【図９】第３の実施形態に係る端末装置の表示部に表示される画面の一例を示す図である。
【図１０】第３の実施形態に係る通信部の処理の一例を示すフローチャートである。
【発明を実施するための形態】
【００１３】
（第１の実施形態）
＜通信システムの概要＞
以下、図面を参照しながら本発明の第１の実施形態について説明する。
図１は、本実施形態に係る通信システム１の構成例を示す図である。
通信システム１は、端末装置１０と、端末装置２０と、端末装置３０と、ＬＡＡバンド基地局装置４０Ａ（４０Ａ−１、４０Ａ−２）と、ライセンスバンド基地局装置４０Ｂと、無線ＬＡＮアクセスポイント５０（５０−１、５０−２、５０−３）と、を含んで構成される。
端末装置２０は低速移動をする端末装置である。地点Ａ２は、端末装置２０が低速移動を開始する地点を表す。地点Ｂ２は、低速移動中の状態にある端末装置２０が通過する地点を表す。地点Ｃ２は、低速移動中の状態にある端末装置２０が地点Ｂ２を通過した後に通過する地点を表す。端末装置３０は高速移動をする端末装置である。地点Ａ３は、端末装置３０が高速移動を開始する地点を表す。地点Ｂ３は、高速移動中の状態にある端末装置３０が通過する地点を表す。地点Ｃ３は、高速移動中の状態にある端末装置３０が地点Ｂ３を通過した後に通過する地点を表す。地点Ｄ３は、高速移動中の状態にある端末装置３０が地点Ｃ３を通過した後に通過する地点を表す。なお、端末装置が低速移動の状態にあるか高速移動の状態にあるかの判断基準は、以降の段落で説明する。
図が複雑になるためライセンスバンド基地局装置４０Ｂは1つしか記載していないが、ライセンスバンド基地局装置４０Ｂから電波の届くエリアでは、ＣＡ（Ｃａｒｒｉｅｒ  Ａｇｇｒｅｇａｔｉｏｎ）可能な複数のライセンスバンド基地局装置が存在し端末装置１０、２０、３０から通信可能であるとする。
以下では、ＬＡＡバンド基地局装置４０Ａ（４０Ａ−１、４０Ａ−２）について、ＬＡＡバンド基地局装置４０Ａ−１、４０Ａ−２をまとめて単にＬＡＡバンド基地局装置４０Ａと表すことがある。無線ＬＡＮアクセスポイント５０（５０−１、５０−２、５０−３）について、無線ＬＡＮアクセスポイント５０−１、５０−２、５０−３をまとめて単に無線ＬＡＮアクセスポイント５０と表すことがある。
【００１４】
端末装置１０、２０、３０は、ＬＡＡ通信（第２周波数帯域）にも対応可能な、ＬＴＥ通信（第１周波数帯域）に対応する端末装置である。また、端末装置１０、２０、３０は、無線ＬＡＮ通信のアクセスポイントから送信される電波を受信することにより、アクセスポイントを検出する。端末装置１０、２０、３０は、例えば、スマートフォン、タブレット端末、またはパーソナルコンピュータによって構成される。
【００１５】
ＬＡＡは、ライセンスバンドを使用するＬＴＥ通信と組み合わせて使用されることが想定されている。ＬＡＡは、ライセンスバンドを使用するＬＴＥ通信を維持しつつ、ライセンス不要バンドを使用する通信も可能な場合には、ライセンスバンドを使用する回線とライセンス不要バンドを使用する回線とを束ねて使用する、いわゆるキャリアアグリゲーション（ＣＡ：Ｃａｒｒｉｅｒ  Ａｇｇｒｅｇａｔｉｏｎ）の実現を可能にする。
【００１６】
広帯域の無線通信を実現する要素技術として、ＣＡが用いられることがある。ＣＡは、一度に複数のコンポーネントキャリア（ＣＣ：Ｃｏｍｐｏｎｅｎｔ  Ｃａｒｒｉｅｒ）と呼ばれる周波数帯域を用いて高速、大容量の通信を実現する技術である。
通信システム１において、ＣＡに用いられる基地局装置には、１つのプライマリセル（Ｐｒｉｍａｒｙ  Ｃｅｌｌ；ＰＣＥＬＬ、以下、Ｐセル）であるＰセルＣ０１Ｂを構成するライセンスバンド基地局装置４０Ｂと、セカンダリ・サービング・セル（Ｓｅｃｏｎｄａｒｙ  Ｓｅｒｖｉｎｇ  Ｃｅｌｌ；ＳＣＥＬＬ、以下、Ｓセル）であるＳセルＣ０１Ａ−１を構成するＬＡＡバンド基地局装置４０Ａ−１、及びＳセルＣ０１Ａ−２を構成するＬＡＡバンド基地局装置４０Ａ−２がある。ＰセルＣ０１Ｂを構成するライセンスバンド基地局装置４０Ｂは、端末装置１０、２０、３０との間で制御情報とユーザデータを送受信する。ＳセルＣ０１Ａ−１を構成するＬＡＡバンド基地局装置４０Ａ−１、及びＳセルＣ０１Ａ−２を構成するＬＡＡバンド基地局装置４０Ａ−２は、主にユーザデータを送受信する基地局装置である。ＣＡにより、端末装置１０、２０、３０は、ＰセルＣ０１ＢとＳセルＣ０１Ａ（Ｃ０１Ａ−１、Ｃ０１Ａ−２）とのそれぞれの周波数帯域を用いて接続することができる。
このように、通信システム１においては、ＣＡにＬＡＡを用いる場合、端末装置１０、２０、３０は、ＰセルにＬＴＥを使用し、ＳセルにＬＡＡを使用する。また、ＣＡにＬＡＡを用いない場合、端末装置１０、２０、３０は、ＰセルとＳセル共にＬＴＥを使用する。
【００１７】
ＬＡＡはＣＡのＳセルとして活用されることが予定されている。ＬＡＡの利用は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において、リリース（Ｒｅｌｅａｓｅ）１３では下りリンクのみだが、リリース１４では上りリンクも含まれる予定である。ＬＡＡで用いられるライセンス不要バンドは、例えば無線ＬＡＮと同様の５ＧＨｚ帯で計画されておりスモールセル（Ｓｍａｌｌ  Ｃｅｌｌ）での運用の場合にはＬＡＡ通信のセルのエリアは小さい。ここでスモールセルとは、通常の基地局の補完のために用いられる小型で通信エリアの狭い基地局装置のセルを指す。
【００１８】
ライセンスバンド基地局装置４０Ｂは、ライセンスバンド（第１周波数帯域）を利用したＬＴＥ通信によって、自装置から電波が届く範囲であるＰセルＣ０１Ｂ内に在圏している端末装置１０、２０、３０と通信接続する基地局装置である。
【００１９】
ＬＡＡバンド基地局装置４０Ａ−１は、ライセンス不要バンド（第２周波数帯域）を利用したＬＴＥ通信によって、自装置から電波が届く範囲であるＳセルＣ０１Ａ−１内に在圏している端末装置２０、３０（ただし地点Ａ３または地点Ｂ３に位置しているとき）、と通信接続する基地局装置である。ＬＡＡバンド基地局装置４０Ａ−２は、ライセンス不要バンド（第２周波数帯域）を利用したＬＴＥ通信によって、自装置から電波が届く範囲であるＳセルＣ０１Ａ−２内に在圏している端末装置１０、３０（ただし地点Ｃ３または地点Ｄ３に位置しているとき）、と通信接続する基地局装置である。
【００２０】
ＬＡＡバンド基地局装置４０Ａ、４０Ｂは、例えば、ｅＮｏｄｅＢ（ｅｖｏｌｖｅｄ  Ｎｏｄｅ  Ｂ）によって構成される。ｅＮｏｄｅＢとは、ＬＴＥ方式の無線通信に対応した無線基地局である。
【００２１】
無線ＬＡＮアクセスポイント５０は、無線ＬＡＮ通信を行う基地局装置である。無線ＬＡＮアクセスポイント５０−１は無線ＬＡＮエリアＣ０２−１において無線ＬＡＮ通信を行い、無線ＬＡＮアクセスポイント５０−２は無線ＬＡＮエリアＣ０２−２において無線ＬＡＮ通信を行い、無線ＬＡＮアクセスポイント５０−３は無線ＬＡＮエリアＣ０２−３において無線ＬＡＮ通信を行う。無線ＬＡＮアクセスポイント５０は、例えば、無線ＬＡＮルータによって構成される。なお、無線ＬＡＮ通信は、ライセンス不要バンドを利用して通信接続を行う。
【００２２】
ＬＡＡバンド基地局装置４０Ａが使用するライセンス不要バンドと、無線ＬＡＮアクセスポイント５０が利用するライセンス不要バンドには、共通の周波数帯域（例えば、５ＧＨｚ帯）が含まれる。したがって、基地局装置４０（４０Ａ−１、４０Ａ−２）によるＬＴＥ通信と、無線ＬＡＮアクセスポイント５０による無線ＬＡＮ通信とは、同時に同一の周波数帯域を使用する場合が起こり得る。その場合、電波干渉が生じることがある。
【００２３】
ＬＡＡでは、クリアなチャネルを選び通信を行う。ここでクリアなチャネルとは、他の通信エリアから電波干渉を受けていない、もしくは電波干渉が小さなチャネルのことを指す。
また、ＬＡＡ通信と無線ＬＡＮ通信との間の干渉を回避するため、ＬＡＡバンド基地局装置４０Ａや端末装置１０、２０、３０は、ＬＢＴ（Ｌｉｓｔｅｎ Ｂｅｆｏｒｅ Ｔａｌｋ）と呼ばれる技術を使用して、信号を送出する直前に、無線ＬＡＮ通信機器を含む他の通信機器が通信を行っていないことを検知してから信号を送出する。
【００２４】
次に、端末装置２０、３０の移動時にＬＡＡ通信が不安定になり得ることについて図１を用いて詳しく説明する。
乗り物等での高速移動時の場合、移動が続いているため干渉の条件が変化する。例えば、通信を行った際にＬＡＡのクリアなチャネルであったとしても高速移動に伴い干渉が多くなった場合には、干渉が少ない周波数帯域に再度ハンドオーバしないと、クリアなチャネルの維持は困難になってしまう。また、例えば、端末装置２０、３０が上りリンクを用いた通信を行っているのであれば、ＬＡＡ通信のセルのエリアが小さいため、高速移動時の場合、端末装置２０、３０がすぐにエリア外になり、結局そのセルでは通信できないという可能性がある。同様に、下りリンクのケースであればＬＡＡバンド基地局装置４０Ａの付近に干渉が存在した場合、端末装置２０、３０がクリアなチャネルを獲得できたとしても、高速移動時の場合、すぐにＬＡＡ通信のセルのエリア外になるという可能性がある。
また、乗り物等での高速移動中の場合はＬＡＡ通信と無線ＬＡＮ通信との間の干渉が常に変化するため、端末装置２０、３０は、ＬＢＴと呼ばれる技術の使用が完了しデータ送信している最中に、干渉エリアに入る可能性がある。
よって、高速移動時はライセンスバンドに比べＬＡＡは不安定で不向きである。
【００２５】
例えば、図１の端末装置３０が高速移動（点線矢印）を開始した地点Ａ３でＣＡのＳセルとしてＬＡＡバンド基地局装置４０Ａ−１のクリアなチャネル（ＳセルＣ０１Ａ−１）を獲得しているとする。高速移動により地点Ｂ３にすぐ差し掛かかる。この地点Ｂ３ではＳセルＣ０１Ａ−１と無線ＬＡＮ通信エリアＣ０２−２とが重なり合う干渉エリアのため、端末装置３０は地点Ｂ３ではクリアなチャネルが見つからない場合がある。地点Ｂ３でより干渉が少ないクリアなチャネルが見つかれば、端末装置３０は、そのチャネルにハンドオーバする。しかし、端末装置３０は高速移動することにより、すぐＳセルＣ０１Ａ−１外になったり、ＳセルＣ０１Ａ−１と無線ＬＡＮ通信エリアＣ０２−２との干渉状況が変わりハンドオーバしたりする可能性がある。また、端末装置３０はそのまま高速移動を続け地点Ｃ３に来た時には、利用するセルが、すでにＬＡＡバンド基地局装置４０Ａ−２のＳセルＣ０１Ａ−２に代わっているので、地点Ａ３で獲得したチャネルでは通信ができない。端末装置３０が、地点Ｃ３において新しいＬＡＡバンド基地局装置４０Ａ−２のＳセルＣ０１Ａ−２で通信を試みても、無線ＬＡＮ通信エリアＣ０２−２と重なり合う干渉エリアのため通信できない場合が考えられる。また、地点Ｄ３は干渉エリアではない場所である。そのため、地点Ｄ３では端末装置３０は、ＬＡＡバンド基地局装置４０Ａ−２のＳセルＣ０１Ａ−２で通信が可能となる。しかし、端末装置３０は、そのまま高速移動を続けると再びすぐに無線ＬＡＮ通信エリアＣ０２−３と重なり合う次の干渉エリアに入る可能性がある。
【００２６】
上記のように、高速移動時の端末装置３０は、仮にＬＡＡ通信を用いた場合、低速移動時に比べ干渉の変化が速くクリアなチャネルの維持が難しくなる場合がある。そこで、本実施形態に係る通信システム１では、例えば端末装置１０、２０、３０の移動状態に応じてＬＡＡ通信を行うか否かを制御するように構成した。
【００２７】
＜端末装置の構成＞
図２は、本実施形態に係る端末装置の構成の一例を示す図である。
図２において、端末装置１０、２０、３０の各々を端末装置Ｔ１と称する。端末装置Ｔ１は、通信部１１、センサー部１２、制御部１３、記憶部１４、表示部１５、及び、操作入力部１６を含んで構成される。
【００２８】
制御部１３は、状態管理部１３１と、タイマ制御部１３２と、電源制御部１３３とを備える。
制御部１３は、移動状態情報に応じて、通信部１１により第２周波数帯域を用いた通信を行うか否かを制御する。
【００２９】
通信部１１は、ＬＴＥ処理部１１１，ＬＴＥ−ＲＦ部１１２、ＬＡＡ処理部１１３、ＬＡＡ−ＲＦ部１１４、無線ＬＡＮ処理部１１５、無線ＬＡＮ−ＲＦ部１１６を備える。
【００３０】
通信部１１は、ＬＡＡバンド基地局装置４０Ａと、ライセンスバンド基地局装置４０Ｂとの通信接続や、無線ＬＡＮアクセスポイント５０の検出等を行う。すなわち、第１周波数帯域、または第１周波数帯域とは異なる第２周波数帯域を用いて通信を行う。
【００３１】
ＬＴＥ処理部１１１は、ＬＴＥ−ＲＦ部１１２及びアンテナを介し、ＬＴＥの通信方式を用いて、ライセンスバンド基地局装置４０Ｂと各種のデータを送受信する。
ＬＴＥ−ＲＦ部１１２は、中間周波数の信号と高周波数の信号とを変換する。ここで中間周波数の信号は、ＬＴＥ処理部１１１とＬＴＥ−ＲＦ部１１２との間で入出力されるデータを示す。高周波数の信号は、アンテナとＬＴＥ−ＲＦ部１１２との間で入出力されるデータを示す。
【００３２】
ＬＡＡ処理部１１３は、ＬＡＡ−ＲＦ部１１４及びアンテナを介し、ＬＡＡの通信方式を用いて、ＬＡＡバンド基地局装置４０Ａと各種のデータを送受信する。
ＬＡＡ−ＲＦ部１１４は、中間周波数の信号と高周波数の信号とを変換する。ここで中間周波数の信号は、ＬＡＡ処理部１１３とＬＡＡ−ＲＦ部１１４との間で入出力されるデータを示す。高周波数の信号は、アンテナとＬＡＡ−ＲＦ部１１４との間で入出力されるデータを示す。
【００３３】
無線ＬＡＮ処理部１１５（検出部）は、無線ＬＡＮ−ＲＦ部１１６及びアンテナを介して、定期的に（例えば、１０秒間隔で）周囲の無線ＬＡＮ通信のアクセスポイントの検出を試みる。
【００３４】
センサー部１２は、加速度センサー１２１と、ジャイロセンサー１２２と、地磁気センサー１２３と、気圧センサー１２４とを備える。
センサー部１２は自装置の移動状態に関する情報（移動状態情報と称する）を検出する。例えば、センサー部１２は自装置の移動状態として自装置の移動速度を検出する。センサー部１２は、検出した移動状態情報を状態管理部１３１へ出力する。
【００３５】
加速度センサー１２１は、端末装置Ｔ１の加速度を測定する。
ジャイロセンサー１２２は、端末装置Ｔ１の角速度を測定する。
地磁気センサー１２３は、地磁気を測定する。
気圧センサー１２４は、気圧を測定する。
【００３６】
タイマ制御部１３２は、センサー部１２の動作のタイミングを制御する。タイマ制御部１３２は、一定のタイミングでセンサー部１２に、移動状態情報を検出させ、検出された移動状態情報を状態管理部１３１へ出力させる。
【００３７】
記憶部１４は、状態管理部１３１により生成される内部ステータスを、端末ステータスとして記憶する。内部ステータスとは、端末装置Ｔ１の移動状態を示すステータスである。内部ステータスは、後述する処理により状態管理部１３１によって生成される。端末ステータスとは、記憶部１４に記憶されている内部ステータスである。
状態管理部１３１は、内部ステータスの値と記憶部１４に記憶されている端末ステータスの値とを比較する。比較の結果、内部ステータスの値と端末ステータスの値が異なっている場合、状態管理部１３１は、記憶部１４に記憶される端末ステータスの値を内部ステータスの値で更新する。したがって、記憶部１４に記憶される端末ステータスとは、状態管理部１３１が内部ステータスを生成する処理を行う時点よりも過去の内部ステータスのことである。
また、記憶部１４は、内部ステータス判断テーブルの情報を記憶する。内部ステータス判断テーブルについては以下で図３を用いて説明する。
【００３８】
図３は、記憶部１４が記憶する内部ステータス判断テーブルの例を示した図である。
内部ステータスは値として、「低速移動」または「高速移動」のいずれかをとる。内部ステータスの値は、センサー部１２によって検出される移動状態情報と対応している。図３は、移動状態情報として、センサー部１２によって検出される端末装置Ｔ１の速度の値を用いる場合の例、センサー部１２によって検出した移動手段種別、またはユーザ操作による移動手段種別、または外部からの通知による移動手段種別を用いる場合の例を示している。
内部ステータスの値「低速移動」は、端末装置Ｔ１の移動速度が、例えば、５メートル毎秒未満である移動状態に対応する。一方、内部ステータスの値「高速移動」は、端末装置Ｔ１の移動速度が、例えば、５メートル毎秒以上である移動状態に対応する。
なお、基準となる速度の値はユーザにより定義された値でもよい。
【００３９】
状態管理部１３１は、記憶部１４が記憶する内部ステータス判断テーブル（図３）の情報と、記憶部１４が記憶する端末ステータスの情報を読み込む。次に、状態管理部１３１は、センサー部１２から読み込んだ移動状態情報に基づいて内部ステータスを生成する。
【００４０】
図４は、内部ステータスとＬＡＡ通信機能の有効無効設定の対応を示した図である。
状態管理部１３１は、生成した内部ステータスの値と記憶部１４から読み込んだ端末ステータスの値を比較する。状態管理部１３１は、生成した内部ステータスの値と記憶部１４から読み込んだ端末ステータスの値が異なる場合、内部ステータスの値に応じて、図４にしたがってＬＡＡ通信機能の有効無効設定を切り替える命令を電源制御部１３３へ送る。
状態管理部１３１は、内部ステータスの値が「高速移動」である場合、ＬＡＡ通信機能を無効（ＯＦＦ）にする。一方、状態管理部１３１は、内部ステータスの値が「低速移動」である場合、ＬＡＡ通信機能を有効（ＯＮ）にする。
つまり、状態管理部１３１は、自装置の移動状態が高速移動である場合、ＬＡＡ通信機能を無効にし、ＬＴＥ通信のみを行うように制御する。一方、状態管理部１３１は、端末装置Ｔ１の移動状態が低速移動である場合、ＬＴＥ通信またはＬＡＡ通信を行うように制御する。ここでＬＴＥ通信またはＬＡＡ通信を行うように制御するとは、ＳセルにＬＴＥ通信だけでなくＬＡＡ通信も使用することが可能であることを意味する。
【００４１】
電源制御部１３３は、状態管理部１３１からの命令に従って、ＬＴＥ通信機能、ＬＡＡ通信機能を制御する。具体的には、電源制御部１３３は、ＬＡＡ処理部１１３及びＬＡＡ−ＲＦ部１１４への電力供給を停止させることによってＬＡＡ通信機能を無効にする。
なお、ＬＡＡ通信機能を無効にする方法は、電力供給を停止させる方法以外の方法であってもよい。例えば、ＬＡＡ通信機能を無効にする方法は、ソフトウェア制御により通信機能を無効にする方法であってもよいし、物理的にスイッチを切ることにより通信機能を無効にする方法であってもよい。また、以下では、ＬＡＡ通信機能が無効の状態であっても、ＬＴＥ通信機能は常に有効である状態について説明する。
【００４２】
表示部１５は、各種の情報を表示する。表示部１５はディスプレイ、例えば液晶ディスプレイ、または有機エレクトロルミネッセンス（ＥＬ；Ｅｌｅｃｔｒｏｌｕｍｉｎｅｓｃｅｎｃｅ）ディスプレイを含んで構成される。
【００４３】
操作入力部１６は、端末装置Ｔ１のユーザからの各種の操作入力を受け付ける。操作入力部１６は操作入力部材、例えば操作ボタン、キーボード、またはタッチパネルを含んで構成される。
【００４４】
＜端末装置の動作＞
図５は、制御部１３が実行する通信制御処理の一例を示すフローチャートである。
本フローチャートに示す処理は、状態管理部１３１は、センサー部１２から移動状態情報を読み込んだ際に開始される。
【００４５】
（ステップＳ１００）状態管理部１３１は、後述する図６で示すステータス変化検出処理を行い、その後ステップＳ１０２に処理を進める。
【００４６】
（ステップＳ１０２）状態管理部１３１は、内部ステータスの値が「高速移動」である場合（ＹＥＳ）、ステップＳ１０４に処理を進める。一方、状態管理部１３１は、内部ステータスの値が「低速移動」であると判定した場合（ＮＯ）は、ステップＳ１０６に処理を進める。
【００４７】
（ステップＳ１０４）状態管理部１３１は、電源制御部１３３からＬＡＡ通信機能の有効無効設定の情報を取得し、取得したＬＡＡ通信機能の有効無効設定の情報が有効であるかを判定する。状態管理部１３１は、取得したＬＡＡ通信機能の有効無効設定の情報が有効と判定した場合（ＹＥＳ）、ステップＳ１１０に処理を進める。一方、状態管理部１３１は、取得したＬＡＡ通信機能の有効無効設定の情報が有効でないと判定した場合（ＮＯ）、ステップＳ１０４の処理を終了する。
【００４８】
（ステップＳ１０６）状態管理部１３１は、電源制御部１３３からＬＡＡ通信機能の有効無効設定の情報を取得し、取得したＬＡＡ通信機能の有効無効設定の情報が有効であるかを判定する。状態管理部１３１は、取得したＬＡＡ通信機能の有効無効設定の情報が有効であると判定した場合（ＹＥＳ）、ステップＳ１２０に処理を進める。一方、状態管理部１３１は、取得したＬＡＡ通信機能の有効無効設定の情報が有効でないと判定した場合（ＮＯ）、ステップＳ１０６の処理を終了する。
【００４９】
（ステップＳ１１０）電源制御部１３３は、ＬＡＡ通信機能を無効にする処理を行う。このステップＳ１１０では、ステップＳ１１１からステップＳ１１３の処理が行われる。
【００５０】
（ステップＳ１１１）制御部１３は、通信部１１のＬＡＡ処理部１１３にＬＡＡ通信中であるか否か問い合わせる。制御部１３は、通信部１１がＬＡＡ通信中である場合（ＹＥＳ）、ステップＳ１１２に処理を進める。一方、制御部１３は、通信部１１がＬＡＡ通信中でない場合（ＮＯ）、ステップＳ１１３に処理を進める。
【００５１】
（ステップＳ１１２）ＬＡＡ処理部１１３は、ＬＡＡ通信を切断し、ステップＳ１１３に処理が進む。
【００５２】
（ステップＳ１１３）電源制御部１３３は、ＬＡＡ処理部１１３及びＬＡＡ−ＲＦ部１１４への電力供給を停止させることによってＬＡＡ通信機能を無効にする。以上で、ステップＳ１１３の処理が終了する。なお、ＬＡＡ通信機能を無効にする方法は、電力供給を停止させる方法以外の方法であってもよい。例えば、ＬＡＡ通信機能を無効にする方法は、ソフトウェア制御により通信機能を無効にする方法であってもよいし、物理的にスイッチを切ることにより通信機能を無効にする方法であってもよい。
【００５３】
（ステップＳ１２０）電源制御部１３３は、ＬＡＡ通信機能を有効にする処理を行う。このステップＳ１２０ではステップＳ１２１の処理が行われる。
【００５４】
（ステップＳ１２１）電源制御部１３３は、ＬＡＡ処理部１１３及びＬＡＡ−ＲＦ部１１４への電力供給を開始することによってＬＡＡ通信機能を有効にする。以上で、ステップＳ１２１の処理を終了する。なお、ＬＡＡ通信機能を有効にする方法は、電力供給を開始する方法以外の方法であってもよい。例えば、ＬＡＡ通信機能を有効にする方法は、ソフトウェア制御により通信機能を有効にする方法であってもよいし、物理的にスイッチを入れることにより通信機能を有効にする方法であってもよい。
【００５５】
図６は、図５のステップＳ１００のステータス変化検出処理の一例を示すフローチャートである。
本フローチャートに示す処理は、状態管理部１３１が、センサー部１２から移動状態情報を読み込んだ際に開始する。
【００５６】
（ステップＳ１０００）状態管理部１３１は、記憶部１４に記憶された端末ステータスの値を、記憶部１４から読み込む。その後、状態管理部１３１はステップＳ１００２に処理を進める。
【００５７】
（ステップＳ１００２）制御部１３は、加速度センサー１２１によって測定された端末装置Ｔ１の速度から作られる移動状態情報を、タイマ制御部１３２で計られる時間間隔ΔＴ毎に、センサー部１２から読み込む。制御部１３は、読み込んだ移動状態情報に基づいて、端末装置Ｔ１の平均移動速度を計算する。
具体的には、制御部１３は、時間間隔ΔＴ毎に、移動状態情報として、端末装置Ｔ１の速度の値を読み込む。制御部１３は、直近Ｎ回の測定で測定された速度の値（以下、Ｎ個の速度値とも称する）を用いて、平均移動速度を計算する。例えば、制御部１３は、Ｎ個の速度値各々に対して時間間隔ΔＴを乗算することで、速度の時間による積分、つまり、端末装置Ｔ１の移動距離を算出する。ここで、この移動距離は、直近Ｎ回の測定時間（例えば、Ｎ×ΔＴ）に、端末装置Ｔ１が移動した移動距離である。制御部１３は、算出した移動距離を、直近Ｎ回の測定時間で除算することで、端末装置Ｔ１の平均移動速度を計算する。ここで、制御部１３は、新しい速度の値の読み込みが１回完了した際に、Ｎ個の速度値のうち最も古いデータを、平均移動速度の計算対象から１つ除外し、新しい速度の値を、平均移動速度の計算対象に加えてもよい。
例えば、制御部１３は、ΔＴ＝１秒毎に、センサー部１２から端末装置Ｔ１の速度の値を５回読み込み、端末装置Ｔ１の移動速度の平均を計算する。
なお、センサー部１２として、マイクロ秒単位での速度の検出が可能な高性能なセンサーであって、センサー部１２の内部において移動平均を求める回路を備えるものを用いることが考えられる。その場合、制御部１３は、センサー部１２から移動平均を用いた平均値を読み込むことで高精度の検出が可能となる。
その後、制御部１３はステップＳ１００４に処理を進める。
【００５８】
（ステップＳ１００４）状態管理部１３１は、記憶部１４から内部ステータス判断テーブルを読み込む。状態管理部１３１は、記憶部１４から読み込んだ内部ステータス判断テーブルに基づき、端末装置Ｔ１の移動状態情報として平均移動速度の値が基準値以上の大きさであるか否かを判定する。端末装置Ｔ１の移動速度が基準値以上であると判定した場合、ステップＳ１００６に処理を進める。一方、端末装置Ｔ１の移動速度が基準値未満であると判定した場合、状態管理部１３１はステップＳ１００８に処理を進める。
【００５９】
（ステップＳ１００６）状態管理部１３１は、内部ステータスの値を「高速移動」にし、ステップＳ１０１０に処理を進める。
【００６０】
（ステップＳ１００８）状態管理部１３１は、内部ステータスの値を「低速移動」にし、ステップＳ１０１０に処理を進める。
【００６１】
（ステップＳ１０１０）状態管理部１３１は、内部ステータスの値を、記憶部１４から読み込んだ端末ステータスの値と比較する。状態管理部１３１は、自装置の内部ステータスの値と端末ステータスの値とが異なる場合、ステップＳ１０１２に処理を進める。一方、内部ステータスの値と端末ステータスの値とが同じである場合、状態管理部１３１は、ステップＳ１０１４に処理を進める。
【００６２】
（ステップＳ１０１４）制御部１３は、移動状態情報をセンサー部１２から１回読み込み、ステップＳ１００４に処理を進める。ただし、移動状態情報は加速度センサー１２１によって測定された端末装置Ｔ１の速度から作られる。
【００６３】
（ステップＳ１０１２）状態管理部１３１は、端末装置Ｔ１のステータスの変化を、電源制御部１３３に通知する。また、状態管理部１３１は、記憶部１４に内部ステータスの値を伝え、記憶部１４は端末ステータスの値を、状態管理部１３１から伝えられた内部ステータスの値へと変更する。以上で、状態管理部１３１は、ステップＳ１０１２の処理を終了する。
【００６４】
＜第１の実施形態のまとめ＞
以上に説明したように、本実施形態に係る端末装置Ｔ１は、通信部１１、移動状態情報検出部（この一例において、センサー部１２）、及び制御部１３を備える。通信部１１は、第１周波数帯域、または第１周波数帯域（この一例において、ＬＴＥ通信の周波数帯域）とは異なる第２周波数帯域（この一例において、ＬＡＡ通信の周波数帯域）を用いて通信を行う。移動状態情報検出部は、端末装置Ｔ１の移動状態に関する移動状態情報として、端末装置Ｔ１の移動速度を検出する。制御部１３は、移動状態情報検出部によって検出された端末装置Ｔ１の移動状態情報に基づいて、端末装置Ｔ１の移動状態が高速移動である場合には第１周波数帯域を用いた通信を行うように制御し、端末装置Ｔ１の移動状態が低速移動である場合には第１周波数帯域または第２周波数帯域を用いた通信を行うように制御する。ここで、第１周波数帯域または第２周波数帯域を用いた通信を行うとは、第１周波数帯域だけでなく第２周波数帯域を用いた通信が可能であることをいう。
なお、制御部１３は、端末装置Ｔ１の移動状態の判定を行う際、各種センサーの値を使用して乗り物種別を検出することにより移動手段である停止、歩行、電車、車を判定し移動状態情報としてもよい。その場合、制御部１３は、各種センサーの値を使用して得られた移動状態情報を用いて、図３に示される低速移動、高速移動の判定を行う。
この構成により、本実施形態に係る端末装置Ｔ１は、ＬＡＡ通信において端末装置Ｔ１が移動しているときにハンドオーバ要求による端末装置Ｔ１の通信パフォーマンスの低下を抑制することができる。
【００６５】
（第２の実施形態）
以下、図面を参照しながら本発明の第２の実施形態について詳しく説明する。
上記第１の実施形態では、端末装置１０は、自装置の移動状態を、自装置内部に搭載した加速度センサーを用いて測定した速度の情報をもとに判定する場合について説明をした。本実施形態では、端末装置１０が、自装置の移動状態を、ユーザの選択した情報を用いて判定する場合について説明をする。
【００６６】
図７は、状態管理部１３１が実行する高速低速判断処理の一例を示すフローチャートである。
本フローチャートに示す処理は、制御部１３が、ユーザによる、表示部１５に移動状態設定画面を表示させる命令を受け付けた際に開始する。
【００６７】
（ステップＳ２０００）状態管理部１３１は、記憶部１４に記憶された端末ステータスの値を、記憶部１４から読み込む。その後、状態管理部１３１は、ステップＳ２０２０に処理を進める。
【００６８】
（ステップＳ２０２０）状態管理部１３１は、ユーザの操作によって設定された、端末装置１０の移動状態を判定するための情報を操作入力部１６から読み込む。その後、状態管理部１３１は、ステップＳ２０４０に処理を進める。
【００６９】
（ステップＳ２０４０）状態管理部１３１は、ステップＳ２０２０で操作入力部１６から読み込んだ情報を用いて、端末装置１０の移動状態が、図３に示される高速判断基準を満たすか否かを判定する。状態管理部１３１は、端末装置１０の移動状態が高速判断基準を満たすと判定した場合（ＹＥＳ）、ステップＳ２０６０に処理を進める。一方、状態管理部１３１は、端末装置の移動速度が高速でないと判定した場合（ＮＯ）、ステップＳ２０８０に処理を進める。
状態管理部１３１が行う高速低速判断処理については、例えば、図３に示される。状態管理部１３１は、端末装置１０の移動状態が、車または電車であった場合、高速判断基準を満たすと判定する。一方、状態管理部１３１は、端末装置１０の移動状態が、停止または歩行であった場合、高速判断基準を満たさないと判定する。
なお、これらの判断基準はユーザにより定義された判断基準を用いてもよい。
【００７０】
（ステップＳ２０４０）以下では、図７に示したステップ２０６０からステップ２１２０の処理が、図６に示したステップ１００６からステップ１０１２の処理と同様な処理であるため、説明を省略する。
以上で、本フローチャートで示した制御部１３１の処理を終了する。
【００７１】
図８は、図７のステップＳ２０２０の端末装置１０の移動状態を判定するための情報の読み込みの処理の一例を示すフローチャートである。
本実施形態に係る通信制御処理の処理の一例を示すフローチャートである。
本フローチャートに示す処理は、図７で示す、状態管理部１３１の高速低速判断処理がステップＳ２０２０に進んだ際に開始する。
【００７２】
（ステップＳ２０００）端末装置１０のユーザは、表示部１５に表示される移動状態設定画面内の、端末装置１０の移動状態に関する選択肢の中からいずれかひとつを選択する。端末装置１０の移動状態に関する選択肢には、例えば、電車に乗車中、車に乗車中、歩行中、停止中などが考えられる。制御部１３は、端末装置１０のユーザによって選択された端末装置１０の移動状態に関する選択肢を、端末装置１０の移動状態を判定するための情報として、操作入力部１６より読み込む。その後、制御部１３は、ステップＳ２００２に処理を進める。
【００７３】
（ステップＳ２００２）端末装置１０のユーザは、表示部１５に表示される移動状態設定画面内の、決定ボタンを押下する。制御部１３は、ステップＳ２０００で読み込んだ端末装置１０の移動状態を判定するための情報を状態管理部１３１に伝える。その後、制御部１３は、ステップＳ２００４に処理を進める。
【００７４】
（ステップＳ２００４）制御部１３は、表示部１５にアラートを表示させ、移動状態の設定が完了したことをユーザに知らせる。制御部１３は、図７のステップＳ２０２０に処理を進める。
以上で、本フローチャートで示した制御部１３の処理を終了する。
【００７５】
図９は、ユーザが端末装置１０の移動状態を設定する操作を、表示部１５に表示される画面の例を用いて説明する図である。Ｇ２００、Ｇ２０２、Ｇ２０４は表示部１５に表示される画面を表し、Ｄ３００、Ｄ３０２、Ｄ３０４は決定ボタンを表す。
ここでは、例として、電車に乗車中、車に乗車中、歩行中、停止中の移動状態の中から停止を選択し設定する場合を説明する。画面Ｇ２００は、ユーザが端末装置１０の移動状態設定を開始する際に表示される画面の例である。画面Ｇ２０２は、移動状態として停止中が、ユーザにより選択された場合の画面の例である。画面Ｇ２０４は、画面Ｇ２０２において決定ボタンＤ３０２を押下した直後の画面の例である。画面Ｇ２０４では、アラートＤ４００が表示され、ユーザに移動状態設定が完了したことが通知される。
【００７６】
＜第２の実施形態のまとめ＞
以上に説明したように、本実施形態に係る端末装置１０は、ユーザの移動手段に関する情報をユーザが入力する操作入力部、及び自装置の移動状態を、ユーザの選択した情報を用いて判定する状態管理部１３１を備える。
この構成により、本実施形態に係る端末装置１０は、ＬＡＡ通信において端末装置１０が移動しているときにハンドオーバ要求による端末装置１０の通信パフォーマンスの低下を抑制することができる。
【００７７】
（第３の実施形態）
以下、図面を参照しながら本発明の第３の実施形態について詳しく説明する。
上記第１の実施形態では、端末装置１０は、自装置の移動状態を、自装置内部に搭載した加速度センサーを用いて測定した速度の情報をもとに判定する場合について説明をした。上記第２の実施形態では、端末装置１０が、自装置の移動状態を、ユーザの選択した情報を用いて判定する場合について説明した。本実施形態では、端末装置１０が、自装置の移動状態を、外部から通知された情報を用いて判定する場合について説明をする。
【００７８】
本実施形態における状態管理部１３１の処理は、図７に示したステップ２１００からステップ２１２０の処理と同様であるため、説明を省略する。ただし、フローチャートの開始は、第２の実施形態のときとは異なり、制御部１３が、通信部１１が端末装置１０の移動状態情報を外部から受信したことを、通信部１１により通知された際に開始する。また、ステップ２０２０の状態の読み込みは、以下で説明する図１０のフローチャートで示される処理で行われる。
【００７９】
通信部１１は、端末装置１０のユーザが、例えば、車、バス、電車などの乗り物に乗車する際、それらの乗り物から、端末装置１０の移動状態情報を通知される。
また、通信部１１は、ユーザの身に着けるウェアラブル機器で測定した結果から、ユーザの移動状態が判定され、その結果のみが通知されるという利用方法が考えられる。
これらの通信には、例えば、無線ＬＡＮや、Ｂｌｕｅｔｏｏｔｈ（登録商標）などの近距離無線通信、もしくは、ＬＴＥ通信、ＬＡＡ通信が考えられる。
【００８０】
図１０は、通信部１１の処理の一例を示すフローチャートである。
本フローチャートに示す処理は、状態管理部１３１が、図７のステップ２０００の記憶部１４に記憶された端末ステータスを読み込んだ際に開始する。
【００８１】
（ステップＳ３０００）状態管理部１３１は、通信部１１で受信された端末装置１０の移動状態情報を、通信部１１より読み込む。以上で、状態管理部１３１は、ステップＳ３０００の処理を終了する。
【００８２】
＜第３の実施形態のまとめ＞
以上に説明したように、本実施形態に係る端末装置１０は、ユーザの移動手段に関する情報を外部から取得する取得部（この一例において、通信部１１）、及び自装置の移動状態を、外部から通知された情報を用いて判定する状態管理部１３１を備える。
この構成により、本実施形態に係る端末装置１０は、ＬＡＡ通信において端末装置１０が移動しているときにハンドオーバ要求による端末装置１０の通信パフォーマンスの低下を抑制することができる。
【００８３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００８４】
なお、上述した実施形態における端末装置Ｔ１の一部、例えば、制御部１３、記憶部１４、ＬＴＥ処理部１１１、ＬＡＡ処理部１１３、及び無線ＬＡＮ処理部１１５をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置Ｔ１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における端末装置Ｔ１の一部、または全部を、ＬＳＩ（Ｌａｒｇｅ  Ｓｃａｌｅ  Ｉｎｔｅｇｒａｔｉｏｎ）等の集積回路として実現しても良い。端末装置Ｔ１の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【符号の説明】
【００８５】
１…通信システム、Ｔ１，１０、２０、３０…端末装置、４０Ａ（４０Ａ−１、４０Ａ−２）…ＬＡＡバンド基地局装置、４０Ｂ…ライセンスバンド基地局装置、５０（５０−１、５０−２、５０−３）…無線ＬＡＮアクセスポイント、Ｃ０１Ｂ…Ｐセル（プライマリセル）、Ｃ０１Ａ（Ｃ０１Ａ−１、Ｃ０１Ａ−２）…Ｓセル（セカンダリセル）、Ｃ０２（Ｃ０２−１、Ｃ０２−２、Ｃ０２−３）…無線ＬＡＮエリア、１１…通信部、１１１…ＬＴＥ処理部，１１２…ＬＴＥ−ＲＦ部、１１３…ＬＡＡ処理部、１１４…ＬＡＡ−ＲＦ部、１１５…無線ＬＡＮ処理部、１１６…無線ＬＡＮ−ＲＦ部、１２…センサー部、１２１…加速度センサー、１２２…ジャイロセンサー、１２３…地磁気センサー、１２４…気圧センサー、１３…制御部、１３１…状態管理部、１３２…タイマ制御部、１３３…電源制御部、１４…記憶部、１５…表示部、１６…操作入力部
【図１】
2017152821.tif 000003
【図２】
2017152821.tif 000004
【図３】
2017152821.tif 000005
【図４】
2017152821.tif 000006
【図５】
2017152821.tif 000007
【図６】
2017152821.tif 000008
【図７】
2017152821.tif 000009
【図８】
2017152821.tif 000010
【図９】
2017152821.tif 000011
【図１０】
2017152821.tif 000012